(57)【特許請求の範囲】
【請求項１】
第一の端部を有した第一の筐体と、前記第一の筐体と一体に構成され前記第一の端部から突出した放熱部と、をそれぞれ有し、第一の方向に並んだ複数の電池セルと、
前記第一の方向に互いに間隔をあけて複数の第一の開口部が設けられた第一の壁部を有し、前記放熱部のそれぞれを前記第一の開口部から前記第一の壁部の前記電池セルとは反対側に突出させた状態で当該電池セルを収容した第二の筐体と、
を備え、
前記第二の筐体は、前記第一の壁部から前記電池セルとは反対側に向けて突出し、前記第一の方向に隣接する二つの前記放熱部の間に位置され、前記放熱部に沿って延びた第一の突出部、を有した、電池モジュール。
【請求項２】
前記放熱部は、前記第一の端部に沿って設けられた、請求項１に記載の電池モジュール。
【請求項３】
前記放熱部は、板状に構成された、請求項１または２に記載の電池モジュール。
【請求項４】
前記第一の開口部は、前記放熱部に沿って延びたスリット状に構成された、請求項１〜３のうちいずれか一つに記載の電池モジュール。
【請求項５】
前記第一の突出部は、前記第一の壁部とは反対側の第二の端部を有し、
前記第二の端部は、前記放熱部よりも前記第一の壁部から離れて位置された、請求項１〜４のうちいずれか一つに記載の電池モジュール。
【発明の詳細な説明】
【技術分野】
【０００１】
本発明の実施形態は、電池モジュールに関する。
【背景技術】
【０００２】
従来、複数の電池セルと、電池セルのそれぞれと熱的に接続された放熱部材と、放熱部材を露出させる開口部が設けられた壁部を有し、電池セルを収容した筐体と、を備えた電池モジュール、が知られている。
【先行技術文献】
【特許文献】
【０００３】
【特許文献１】特開２０１５−１２５９３０号公報
【発明の概要】
【発明が解決しようとする課題】
【０００４】
この種の電池モジュールでは、例えば、電池セルの放熱性をより高めることが可能な新規な構成が得られれば、好ましい。
【課題を解決するための手段】
【０００５】
実施形態の電池モジュールは、例えば、複数の電池セルと、第二の筐体と、を備える。複数の電池セルは、第一の端部を有した第一の筐体と、第一の筐体と一体に構成され第一の端部から突出した放熱部と、をそれぞれ有し、第一の方向に並ぶ。第二の筐体は、第一の方向に互いに間隔をあけて複数の第一の開口部が設けられた第一の壁部を有し、放熱部のそれぞれを第一の開口部から第一の壁部の電池セルとは反対側に突出させた状態で当該電池セルを収容する。第二の筐体は、第一の壁部から電池セルとは反対側に向けて突出し、第一の方向に隣接する二つの放熱部の間に位置され、放熱部に沿って延びた第一の突出部、を有する。
【図面の簡単な説明】
【０００６】
【図１】図１は、第１実施形態の電池モジュールの例示的な斜視図である。
【図２】図２は、第１実施形態の電池モジュールの例示的な分解斜視図である。
【図３】図３は、図１の第三筐体部材が取り外された状態の図である。
【図４】図４は、第１実施形態の電池モジュールの例示的な平面図（上面図）である。
【図５】図５は、第１実施形態の電池モジュールの例示的な側面図である。
【図６】図６は、第１実施形態の電池モジュールの例示的な正面図である。
【図７】図７は、図６のVII−VII断面図である。
【図８】図８は、第１実施形態の電池モジュールの電池セルの例示的な斜視図である。
【図９】図９は、第２実施形態の電池モジュールの例示的な斜視図である。
【発明を実施するための形態】
【０００７】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【０００８】
また、以下に開示される複数の実施形態には、同様の構成要素が含まれる。よって、以下では、それら同様の構成要素には共通の符号が付与されるとともに、重複する説明が省略される。
【０００９】
＜第１実施形態＞
図２に示されるように、電池モジュール１は、例えば、複数の電池セル２と、筐体３と、導電部材４と、を備える。電池モジュール１は、種々の装置や、機械、設備等に設置され、それら種々の装置や、機械、設備の電源として使用される。例えば、電池モジュール１は、自動車や自転車（移動体）等の電源等、移動型の電源としても使用される他、例えば、ＰＯＳ（Point  Of  Sales）システム用の電源等、定置型の電源としても使用されうる。また、種々の装置等には、複数の、本実施形態で示される電池モジュール１を、直列あるいは並列に接続したセットとして搭載することもできる。なお、電池モジュール１に含まれる電池セル２の数や配置等は、本実施形態で開示されるものには限定されない。また、電池モジュール１には、電池セル２の電圧や温度を監視するための配線や、監視基板、電池制御のための制御基板等が含まれうる。電池モジュール１は、組電池等とも称され、電池セル２は、単電池等とも称されうる。
【００１０】
筐体３は、水平方向（横方向、左右方向、Ｘ方向またはＹ方向）に長い直方体状に構成されている。筐体３は、複数の壁部３ａ〜３ｆを有する。筐体３は、複数の壁部３ａ〜３ｆのうちいずれか一つの壁部、例えば、壁部３ｅが平面に沿った姿勢で、設置されうる。なお、以下では、便宜上、壁部３ｅが平面に沿った姿勢を基準として、方向を規定する。Ｘ方向は、筐体３の短手方向であり、電池セル２の厚さ方向である。また、Ｙ方向は、筐体３の長手方向であり、電池セル２の長手方向である。また、Ｚ方向は、筐体３の高さ方向であり、電池セル２の短手方向である。Ｘ方向、Ｙ方向、およびＺ方向は、互いに直交している。本実施形態では、Ｘ方向は、第一の方向の一例である。
【００１１】
図２，３に示されるように、複数（例えば、十個）の電池セル２は、Ｘ方向に沿って一列に並んだ状態で、筐体３に収容されている。複数の電池セル２は、それぞれ、筐体２０と、正極端子２３と、負極端子２４と、を有する。正極端子２３および負極端子２４は、例えば、溶接等によって導電部材４に結合されうる。電池モジュール１では、例えば、Ｘ方向に隣接する二つの電池セル２の正極端子２３と負極端子２４とが導電部材４を介して電気的に接続されるとともに、Ｘ方向の両端部に設けられた一対の出力端子部４ａを介して電力が取り出される。本実施形態では、筐体２０は、第一の筐体の一例であり、筐体３は、第二の筐体の一例である。また、導電部材４は、バスバー等とも称されうる。
【００１２】
電池セル２は、例えば、リチウムイオン二次電池等で構成されうる。なお、電池セル２は、ニッケル水素電池や、ニッケルカドミウム電池、鉛蓄電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物や、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、ニオブ複合酸化物等の酸化物材料等が用いられる。また、電解質（例えば、電解液）としては、フッ素系錯塩（例えばＬｉＢＦ４、ＬｉＰＦ６）等のリチウム塩が配合された、例えば、炭酸エチレンや、炭酸プロピレン、炭酸ジエチル、炭酸エチルメチル、炭酸ジメチル等の有機溶媒等が単独であるいは複数混合されて用いられる。
【００１３】
また、電池セル２の内部には、例えば、電極体や、電解液等が収容されている。電極体は、例えば、正極シートと、負極シートと、絶縁層（セパレータ）と、を有する。電極体は、正極シート、負極シート、および絶縁層が巻回されて（折り畳まれて）、扁平形状に構成されうる。電極体は、電極群であって発電要素として機能する。また、正極端子２３は、電池セル２内で電極体の正極シートと電気的に接続され、負極端子２４は、電池セル２内で電極体の負極シートと電気的に接続されている。正極端子２３および負極端子２４は、導電性材料によって構成されうる。
【００１４】
図８に示されるように、電池セル２の筐体２０は、Ｘ方向に薄い扁平な直方体状に構成されている。筐体２０は、Ｘ方向の視線では、四つの端部２０ｇ〜２０ｊを有している。端部２０ｇ〜２０ｊは、辺部や縁部等とも称されうる。
【００１５】
また、筐体２０は、複数の壁部２０ａ〜２０ｆを有する。壁部２０ａおよび壁部２０ｃは、いずれも、Ｚ方向と交差する方向または直交する方向、すなわちＸ方向およびＹ方向に沿っており、Ｚ方向に間隔をあけて互いに平行に設けられている。また、壁部２０ｂおよび壁部２０ｄは、いずれも、Ｙ方向と交差する方向、すなわちＸ方向およびＺ方向に略沿っており、Ｙ方向に互いに間隔をあけて設けられている。壁部２０ｂ，２０ｄは、例えば、Ｘ方向の視線では、Ｙ方向の外側に凸の状態で突出した略台形状または略円弧状に構成されている。また、壁部２０ｂ，２０ｄのＸ方向に沿った厚さは、Ｚ方向の端部側から中央部側に向かって徐々に小さくなっている。壁部２０ａ〜２０ｄは、側壁部等と称されうる。また、壁部２０ｅおよび壁部２０ｆは、いずれも、Ｘ方向と交差する方向または直交する方向、すなわちＹ方向およびＺ方向に沿っており、Ｘ方向に間隔をあけて互いに平行に設けられている。壁部２０ｅは、下壁部や、底壁部等と称され、壁部２０ｆは、上壁部や、天壁部等と称されうる。
【００１６】
また、筐体２０は、例えば、壁部２０ｅと壁部２０ｂとの間、および壁部２０ｅと壁部２０ｄとの間のそれぞれに亘った亘部２０ｍを有する。本実施形態では、上述した壁部２０ｂ，２０ｄの構成および形状によって、亘部２０ｍは、Ｘ方向または壁部２０ｅに対して傾斜した傾斜面２０ｎを有している。Ｚ方向の視線で、Ｘ方向と傾斜面２０ｎとの交わる角度は、１°以上９０°未満の鋭角である。また、本実施形態では、正極端子２３および負極端子２４は、傾斜面２０ｎを貫通した状態で設けられ、筐体２０内で不図示の電極体と接続されている。このように、本実施形態では、正極端子２３および負極端子２４が傾斜面２０ｎに設けられているため、例えば、正極端子２３および負極端子２４が壁部２０ｅと垂直な面に設けられる場合と比べて、正極端子２３および負極端子２４の設置面積が増えやすいという利点がある。また、例えば、正極端子２３および負極端子２４が壁部２０ｆ（上壁部）に設けられる金属缶タイプのものと比べて、正極端子２３および負極端子２４と電極群との間の距離が短くなりやすくなり、ひいては正極端子２３および負極端子２４と電極群とを接続する部品点数が減ったり、電気抵抗が減ったりしうる。
【００１７】
また、筐体２０は、例えば、端部２０ｇ，２０ｉからＺ方向の外側に突出した放熱部２０ｆ１を有している。放熱部２０ｆ１は、それぞれ、Ｙ方向に沿って細長く延びており、端部２０ｈと端部２０ｊとの間に亘っている。また、筐体２０は、例えば、端部２０ｈ，２０ｊからＹ方向の外側に突出した突出部２０ｆ２を有している。突出部２０ｆ２は、それぞれ、Ｚ方向に沿って細長く延びており、端部２０ｇと端部２０ｉとの間に亘っている。本実施形態では、放熱部２０ｆ１および突出部２０ｆ２は、壁部２０ｆと接続され、当該壁部２０ｆの一部を構成している。すなわち、壁部２０ｆは、壁部２０ａ〜２０ｄの壁部２０ｅとは反対側の開放部分を覆う略四角形状の不図示のベース部と、ベース部から突出した放熱部２０ｆ１と、ベース部から突出した突出部２０ｆ２と、を有している。本実施形態では、端部２０ｇ，２０ｉは、第一の端部の一例である。また、放熱部２０ｆ１は、フランジ部や、突出部、張出部等とも称され、突出部２０ｆ２は、フランジ部や、張出部等とも称されうる。
【００１８】
また、壁部２０ａ〜２０ｄの壁部２０ｅとは反対側、すなわち壁部２０ｆ側の端部には、放熱部２０ｆ１および突出部２０ｆ２に沿って筐体２０の外側に張り出したフランジ部２０ｐが設けられている。本実施形態では、フランジ部２０ｐと放熱部２０ｆ１および突出部２０ｆ２とは、例えば、抵抗シーム溶接等によって互いに結合されている。抵抗シーム溶接は、レーザ溶接と比べて、気密性や耐熱性等が高くなりやすく、かつ低コストであるという利点がある。フランジ部２０ｐは、突出部や、張出部等とも称されうる。
【００１９】
また、筐体２０は、複数の部品（分割体）が組み合わせられて構成されている。具体的には、筐体２０は、例えば、第一筐体部材２１（ケース、下ケース）と、第二筐体部材２２（蓋、カバー、上ケース）と、を有する。第一筐体部材２１は、少なくとも、壁部２０ａ〜２０ｅと、亘部２０ｍと、を有する。また、第二筐体部材２２は、少なくとも、壁部２０ｆと、放熱部２０ｆ１と、突出部２０ｆ２と、を有する。第一筐体部材２１は、一端側が開放された直方体状の箱型に構成されている。第二筐体部材２２は、Ｙ方向に横長の長方形状の板状に構成されている。第二筐体部材２２は、第一筐体部材２１の開放された部分を塞ぎ、抵抗シーム溶接等によって第一筐体部材２１と一体化される。第一筐体部材２１および第二筐体部材２２は、例えば、ステンレス鋼によって構成されている。なお、本実施形態では、放熱部２０ｆ１が第二筐体部材２２（壁部２０ｆ）に設けられた場合が例示されたが、これに限定されず、例えば、第一筐体部材２１（壁部２０ａ，２０ｃ）側に設けられてもよいし、第二筐体部材２２と第一筐体部材２１との両側に設けられてもよい。
【００２０】
図２，７に示されるように、複数の電池セル２は、それぞれの壁部２０ｆが同じ方向、すなわち図７の左方向を向いた姿勢で、Ｘ方向に沿って並べられている。また、複数の電池セル２は、例えば、Ｘ方向に沿う方向において、正極端子２３と負極端子２４とが交互に配置されるように並べられている。
【００２１】
図３に示されるように、筐体３の壁部３ａおよび壁部３ｃは、いずれも、Ｘ方向と直交する方向、すなわちＹ方向およびＺ方向に沿っており、Ｘ方向に間隔をあけて互いに平行に設けられている。また、壁部３ｂおよび壁部３ｄは、いずれも、Ｙ方向と直交する方向、すなわちＸ方向およびＺ方向に沿っており、Ｙ方向に間隔をあけて互いに平行に設けられている。壁部３ａ〜３ｄは、側壁部等と称されうる。また、壁部３ｅおよび壁部３ｆは、いずれも、Ｚ方向と直交する方向、すなわちＸ方向およびＹ方向に沿っており、Ｚ方向に間隔をあけて互いに平行に設けられている。壁部３ｅは、下壁部や、底壁部等と称され、壁部３ｆは、上壁部や、天壁部等と称されうる。
【００２２】
また、筐体３は、例えば、壁部３ａ，３ｃに沿った複数の壁部３ｇを有する。図２にも示されるように、複数の壁部３ｇは、いずれも、壁部３ａと壁部３ｃとの間に位置され、壁部３ｂと壁部３ｄとの間、および壁部３ｅと壁部３ｆとの間に亘っている。複数の壁部３ｇは、壁部３ａや壁部３ｃとともにＸ方向に互いに間隔をあけて設けられている。そして、Ｘ方向に隣接した二つの壁部３ｇと壁部３ｇ（壁部３ａ，３ｃ）との間には、それぞれ電池セル２を収容する収容部３ｒが設けられている。壁部３ｇは、隔壁部や、仕切壁、分離壁等と称されうる。また、壁部３ｇは、絶縁部の一例である。筐体３内では、電池セル２と壁部３ｇとが交互にＸ方向に積み重ねられている。なお、複数の電池セル２は、それぞれの突出部２０ｆ２に設けられた開口部２０ｋおよび壁部３ｇをＸ方向に貫通する結合具等によって、互いに結合されてもよい。
【００２３】
また、図３に示されるように、壁部３ｆのＸ方向の両側の端部には、Ｚ方向の一方側（上側）に突出した突出部３ａ１，３ｃ１が設けられている。突出部３ａ１，３ｃ１は、それぞれ、Ｙ方向に沿って細長く延びており、壁部３ｂと壁部３ｄとの間に亘っている。また、壁部３ｅのＸ方向の両側の端部には、Ｚ方向の他方側（下側）に突出した突出部３ａ２，３ｃ２が設けられている。突出部３ａ２，３ｃ２は、それぞれ、Ｙ方向に沿って細長く延びており、壁部３ｂと壁部３ｄとの間に亘っている。突出部３ａ１，３ａ２は、壁部３ａの少なくとも一部を構成し、突出部３ｃ１，３ｃ２は、壁部３ｃの少なくとも一部を構成している。
【００２４】
また、図３，７に示されるように、壁部３ｂ，３ｄには、それぞれ、開口部３ｉが設けられている。開口部３ｉは、例えば、壁部３ｂ，３ｄをＹ方向に沿って貫通した貫通孔であり、Ｘ方向およびＺ方向に沿って延びている。本実施形態では、開口部３ｉは、複数の電池セル２が筐体３に収容された状態で、電池セル２のそれぞれの正極端子２３および負極端子２４と対向する位置に設けられている。図７に示されるように、導電部材４は、この開口部３ｉから壁部３ｇを回り込む状態で、Ｘ方向に隣接する二つの電池セル２の正極端子２３および負極端子２４を接続している。
【００２５】
また、図２，５に示されるように、筐体３は、例えば、壁部３ｂ，３ｄに沿った複数の覆部３ｂ１，３ｄ１を有する。覆部３ｂ１，３ｄ１は、壁部３ｂ，３ｄの電池セル２とは反対側、すなわち筐体３の外側に位置され、開口部３ｉを覆っている。また、覆部３ｂ１，３ｄ１は、それぞれ、突出部３ｂ２，３ｄ２を有している。突出部３ｂ２，３ｄ２は、開口部３ｉの縁部に沿った四角形状に構成されている。図７に示されるように、本実施形態では、例えば、突出部３ｂ２，３ｄ２が圧入等によって開口部３ｉと嵌め合わさることにより、覆部３ｂ１，３ｄ１と壁部３ｂ，３ｄとが互いに結合されている。なお、本実施形態では、覆部３ｂ１のＸ方向に沿った幅は、開口部３ｉのＸ方向に沿った幅よりも僅かに小さく構成されている。一対の出力端子部４ａは、覆部３ｂ１のＸ方向の両側の端部と開口部３ｉのＸ方向の両側の縁部との間のスペースから筐体３の外側に突出している。
【００２６】
また、図１，２に示されるように、本実施形態では、例えば、壁部３ｅ，３ｆには、それぞれ、Ｘ方向に互いに間隔をあけて複数の開口部３ｓが設けられている。開口部３ｓは、壁部３ｅ，３ｆをＺ方向に沿って貫通するとともに、Ｙ方向に沿って細長く延びたスリット状に構成されている。図４に示されるように、本実施形態では、開口部３ｓのＹ方向に沿った幅は、放熱部２０ｆ１のＹ方向に沿った幅よりも大きく構成されている。また、開口部３ｓのＸ方向に沿った幅は、放熱部２０ｆ１のＸ方向に沿った幅と略同じ大きさである。そして、図６に示されるように、筐体３は、放熱部２０ｆ１のそれぞれを開口部３ｓから壁部３ｅ，３ｆの電池セル２とは反対側、すなわち筐体３の外側に突出させた状態で、複数の電池セル２を収容している。本実施形態では、放熱部２０ｆ１の開口部３ｓへの挿入によって、放熱部２０ｆ１の壁部３ｅ，３ｆに対するＸ方向への位置決めが行われ、ひいては筐体２０の筐体３に対するＸ方向への移動が制限されうる。なお、本実施形態では、壁部３ｅ，３ｆの電池セル２側の面（内面）、または電池セル２とは反対側の面（外面）には、例えば、開口部３ｓを覆い放熱部２０ｆ１と対向する位置にスリット状の切れ目部分が形成されたシール部材等が設けられうる。放熱部２０ｆ１は、シール部材の切れ目部分および開口部３ｓを貫通した状態で筐体３に取り付けられることにより、筐体３の内部への塵芥や、水滴等の侵入が抑制されうる。本実施形態では、壁部３ｅ，３ｆは、第一の壁部の一例であり、開口部３ｓは、第一の開口部の一例である。
【００２７】
また、図６に示されるように、本実施形態では、例えば、壁部３ｆには、Ｚ方向の一方側（上側）に突出した複数の突出部３ｔが設けられ、壁部３ｅには、Ｚ方向の他方側（下側）に突出した複数の突出部３ｔが設けられている。複数の突出部３ｔは、それぞれ、Ｘ方向に隣接する二つの放熱部２０ｆ１の間に位置され、放熱部２０ｆ１に沿って延びている。図４に示されるように、本実施形態では、突出部３ｔのＹ方向に沿った幅は、放熱部２０ｆ１のＹ方向に沿った幅よりも大きく構成されている。すなわち、突出部３ｔによって、放熱部２０ｆ１が突出部３ｔよりもＹ方向の外側に突出するのが抑制されている。また、図６に示されるように、本実施形態では、突出部３ｔの壁部３ｅ，３ｆとは反対側の端部３ｕは、放熱部２０ｆ１よりも壁部３ｅ，３ｆから離れて位置されている。すなわち、突出部３ｔによって、放熱部２０ｆ１が突出部３ｔよりもＺ方向の外側に突出するのが抑制されている。このように、本実施形態では、突出部３ｔによって放熱部２０ｆ１の周囲が覆われているため、放熱部２０ｆ１をよりしっかりと保護することができる。なお、図６に示されるように、本実施形態では、突出部３ｔのＺ方向の長さ、すなわち突出量と、突出部３ａ１，３ａ２，３ｃ１，３ｃ２のＺ方向の突出量とは、略同じである。よって、筐体３は、例えば、壁部３ｅ側の突出部３ｔと突出部３ａ２，３ｃ２とが床面に当接した状態で、設置されることができる。本実施形態では、突出部３ｔは、第一の突出部の一例であり、端部３ｕは、第二の端部の一例である。
【００２８】
また、本実施形態では、例えば、突出部３ｔは、放熱部２０ｆ１のそれぞれと離間して位置されている。これにより、Ｘ方向に隣接する二つの放熱部２０ｆ１と突出部３ｔとの間には、それぞれ、放熱部２０ｆ１に沿って延びる隙間２６が設けられている。隙間２６には、例えば、ファン等の冷却機構によって発生させた冷却風（風、空気流）を流すことができる。隙間２６は、通路等とも称されうる。
【００２９】
図２，５に示されるように、筐体３は、複数の部品（分割体）が組み合わせられて構成されている。具体的には、筐体３は、例えば、第一筐体部材３１（第一ケース、下ケース、ベース部材）と、第二筐体部材３２（第二ケース、上ケース、蓋部材）と、第三筐体部材３３（第三ケース、カバー）と、を有する。第一筐体部材３１は、少なくとも、壁部３ｅと、壁部３ａ〜３ｄと、突出部３ａ２，３ｃ２と、壁部３ｇと、突出部３ｔと、を有する。また、第二筐体部材３２は、少なくとも、壁部３ｆと、突出部３ａ１，３ｃ１と、突出部３ｔと、を有する。また、第三筐体部材３３は、少なくとも、覆部３ｂ１，３ｄ１と、突出部３ｂ２，３ｄ２と、を有する。第二筐体部材３２は、第一筐体部材３１の収容部３ｒを塞ぎ、第一筐体部材３１と一体化される。第一筐体部材３１と第二筐体部材３２とは、例えば、溶接や、接着剤、結合具等によって互いに結合されうる。また、第三筐体部材３３は、第一筐体部材３１の開口部３ｉを塞ぎ、第一筐体部材３１と一体化される。第一筐体部材３１、第二筐体部材３２、および第三筐体部材３３は、例えば、合成樹脂材料や、金属材料等で構成されうる。なお、本実施形態では、電池セル２の端部２０ｇ，２０ｉに、板状の放熱部２０ｆ１が設けられた場合が例示されたが、これに限定されず、例えば、端部２０ｇ，２０ｉに、当該端部２０ｇ，２０ｉに沿う方向、すなわちＹ方向に互いに間隔をあけて複数の針状の放熱部が設けられてもよい。
【００３０】
以上のように、本実施形態では、例えば、電池モジュール１は、端部２０ｇ，２０ｉ（第一の端部）を有した筐体２０（第一の筐体）と、筐体２０と一体に構成され端部２０ｇ，２０ｉから突出した放熱部２０ｆ１と、をそれぞれ有し、Ｘ方向（第一の方向）に並んだ複数の電池セル２と、Ｘ方向に互いに間隔をあけて複数の開口部３ｓ（第一の開口部）が設けられた壁部３ｅ，３ｆ（第一の壁部）を有し、放熱部２０ｆ１のそれぞれを開口部３ｓから壁部３ｅ，３ｆの電池セル２とは反対側に突出させた状態で当該電池セル２を収容した筐体３（第二の筐体）と、を備える。よって、本実施形態によれば、例えば、電池セル２の筐体２０に当該筐体２０とは別部材である放熱部材が熱的に接続された従来の構成と比べて、筐体２０と放熱部２０ｆ１とが別部材ではなく一体化されている分、筐体２０と放熱部２０ｆ１との熱伝達性が高まりやすくなる。また、放熱部２０ｆ１が壁部３ｅ，３ｆの開口部３ｓを貫通して、壁部３ｅ，３ｆの電池セル２とは反対側、すなわち筐体３の外側に突出しているため、放熱部材が筐体３の内側に設けられていた従来の構成と比べて、放熱部２０ｆ１に風が当たりやすくなる。よって、例えば、放熱部２０ｆ１と当該放熱部２０ｆ１の周囲を流れる冷却風との熱交換によって、電池セル２の冷却性、すなわち電池セル２からの放熱性が、より高まりやすい。
【００３１】
また、本実施形態では、例えば、放熱部２０ｆ１は、筐体２０の端部２０ｇ，２０ｉ（辺部）に沿って設けられている。よって、本実施形態によれば、例えば、Ｘ方向に隣接する二つの放熱部２０ｆ１の間に、端部２０ｇ，２０ｉに沿って比較的長く延びる隙間２６（通路）が形成されうる。よって、例えば、隙間２６に沿って流れる冷却風と放熱部２０ｆ１との熱交換によって、電池セル２がより効果的に冷却されやすい。
【００３２】
また、本実施形態では、例えば、放熱部２０ｆ１は、板状に構成されている。よって、本実施形態によれば、例えば、板状の放熱部２０ｆ１によって、放熱のための所要の表面積が確保されやすい。また、比較的簡素な構成によって放熱部２０ｆ１が構成されやすく、ひいては電池モジュール１の製造に要する手間や、費用等が低減されうる。
【００３３】
また、本実施形態では、例えば、開口部３ｓ（第一の開口部）は、放熱部２０ｆ１に沿って延びたスリット状に構成されている。よって、本実施形態によれば、例えば、壁部３ｅ，３ｆに複数の放熱部２０ｆ１が臨むような開口部が設けられた場合と比べて、筐体３の内部への塵芥や、水滴等の侵入が抑制されやすい。また、スリット状の開口部３ｓを放熱部２０ｆ１の壁部３ｅ，３ｆに対する位置決めに用いることができる。
【００３４】
また、本実施形態では、例えば、筐体３（第二の筐体）は、壁部３ｅ，３ｆから電池セル２とは反対側に向けて突出し、Ｘ方向に隣接する二つの放熱部２０ｆ１の間に位置され、放熱部２０ｆ１に沿って延びた突出部３ｔ（第一の突出部）を有する。よって、本実施形態によれば、例えば、突出部３ｔによって隙間２６の断面積が小さくなりやすい。よって、例えば、隙間２６を流れる冷却風の流速を高めることができ、ひいては電池セル２の冷却性、すなわち電池セル２からの放熱性がより一層高まりやすい。
【００３５】
また、本実施形態では、例えば、突出部３ｔは、壁部３ｅ，３ｆとは反対側の端部３ｕ（第二の端部）を有し、端部３ｕは、放熱部２０ｆ１よりも壁部３ｅ，３ｆから離れて位置されている。よって、本実施形態によれば、例えば、突出部３ｔによって、放熱部２０ｆ１が突出部３ｔよりも壁部３ｅ，３ｆとは反対側へ突出するのを抑制でき、ひいては放熱部２０ｆ１の保護性が高まる。
【００３６】
＜第２実施形態＞
図９に示される実施形態の電池モジュール１Ａは、上記第１実施形態の電池モジュール１と同様の構成を備えている。よって、本実施形態によっても、上記第１実施形態と同様の構成に基づく同様の結果（効果）が得られる。
【００３７】
ただし、本実施形態では、例えば、図９に示されるように、筐体３の壁部３ｅ，３ｆには、突出部３ｔ、および突出部３ａ１，３ａ２，３ｃ１，３ｃ２が設けられていない。すなわち、本実施形態では、Ｘ方向に隣接する二つの放熱部２０ｆ１の間のそれぞれに、隙間２６（図６参照）よりも断面積の大きな隙間２７（通路）が形成されている。よって、本実施形態によっても、例えば、隙間２７に沿って流れる冷却風と放熱部２０ｆ１との熱交換によって、複数の電池セル２を冷却することができる。また、本実施形態では、スリット状の開口部３ｖのＹ方向に沿った幅は、放熱部２０ｆ１のＹ方向に沿った幅と、略同じ大きさに構成されている。また、開口部３ｖのＸ方向に沿った幅は、上記第１実施形態と同様に、放熱部２０ｆ１のＸ方向に沿った幅と略同じである。よって、本実施形態によれば、例えば、放熱部２０ｆ１の開口部３ｖへの挿入によって、放熱部２０ｆ１の壁部３ｅ，３ｆに対するＸ方向およびＹ方向への位置決めが行われ、ひいては筐体２０の筐体３に対するＸ方向およびＹ方向への移動が制限されうる。また、上記第１実施形態よりもＹ方向に沿った開口幅が狭い開口部３ｖによって、筐体３の内部への塵芥や、水滴等の侵入がより一層抑制されうる。
【００３８】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００３９】
１，１Ａ…電池モジュール、２…電池セル、３…筐体（第二の筐体）、３ｅ，３ｆ…壁部（第一の壁部）、３ｓ，３ｖ…開口部（第一の開口部）、３ｔ…突出部（第一の突出部）、３ｕ…端部（第二の端部）、２０…筐体（第一の筐体）、２０ｆ１…放熱部、２０ｇ，２０ｉ…端部（第一の端部）、Ｘ…第一の方向。
【図１】
0006773417.tif 000002
【図２】
0006773417.tif 000003
【図３】
0006773417.tif 000004
【図４】
0006773417.tif 000005
【図５】
0006773417.tif 000006
【図６】
0006773417.tif 000007
【図７】
0006773417.tif 000008
【図８】
0006773417.tif 000009
【図９】
0006773417.tif 000010